(57)【要約】【課題】平面ケーブルが電気的に接続された被接続部材（コネクタ）から脱落するのを簡易な構成で予知することができる平面ケーブル、電子回路基板、放射線撮影装置を得る。【解決手段】複数本の電極部材７０の中で最も外側に配置された検出電極７０Ａは、検出電極７０Ａに挟まれるように配置された信号電極７０Ｂに対して短くなっている。接続配線４４（平面ケーブル）に振動が伝達され、接続配線４４が回転するときには、片方の外側に配置された検出電極７０Ａの導通が、信号電極７０Ｂの導通が解除される前に解除される。このように、検出電極７０Ａを信号電極７０Ｂよりも短かくすることで、接続配線４４が電気的に接続されたコネクタ４６から脱落するのを簡易な構成で予知することができる。【選択図】図１
2011216254.tif 000002
【特許請求の範囲】
【請求項１】
ベース部材と、
前記ベース部材の一方の面に設けられ、前記ベース部材に並べられると共に、夫々に電流が流れる複数本の電極部材と、
前記電極部材の端部を露出させるように、前記電極部材を被覆する被覆部材と、を備え
前記電極部材は、
信号電流が流れる信号電極と、
前記信号電極の導通が解除される前に導通が解除される検出電極と、
を備える平面ケーブル。
【請求項２】
前記検出電極の長さは、前記信号電極の長さよりも短い請求項１に記載の平面ケーブル。
【請求項３】
前記検出電極の太さは、前記信号電極の太さよりも細い請求項１に記載の平面ケーブル。
【請求項４】
前記検出電極は、複数本の前記電極部材の少なくとも一方の、最も外側に配置される請求項１〜３の何れか１に記載された平面ケーブル。
【請求項５】
請求項１〜４の何れか１項に記載された平面ケーブルと、
前記平面ケーブルの端部に導通可能に接続される被接続部材と、
前記被接続部材を通して前記平面ケーブルに備えられた信号電極に信号電流を流し、前記平面ケーブルに備えられた検出電極に前記平面ケーブルの脱落を予知する予知電流を流す電子回路と、
を備える電子回路基板。
【請求項６】
請求項５に記載の電子回路基板を備えたことを特徴とする放射線撮影装置。
【発明の詳細な説明】
【技術分野】
【０００１】
本発明は、平面ケーブル、電子回路基板、放射線撮影装置に関する。
【背景技術】
【０００２】
特許文献１には、液晶表示装置の使用中に導通不良を検出する導通確認回路を備えた液晶表示パネルが記載されている。
【先行技術文献】
【特許文献】
【０００３】
【特許文献１】特開２００３−２６２８８４号公報
【発明の概要】
【発明が解決しようとする課題】
【０００４】
しかし、従来の技術では、複雑な構成となっており高価なものとなっていた。
【０００５】
本願発明の課題は、平面ケーブルが電気的に接続された被接続部材から脱落するのを簡易な構成で予知することである。
【課題を解決するための手段】
【０００６】
本発明の請求項１に係る平面ケーブルは、ベース部材と、前記ベース部材の一方の面に設けられ、前記ベース部材に並べられると共に、夫々に電流が流れる複数本の電極部材と、前記電極部材の端部を露出させるように、前記電極部材を被覆する被覆部材と、を備え前記電極部材は、信号電流が流れる信号電極と、前記信号電極の導通が解除される前に導通が解除される検出電極と、を備えることを特徴とする。
【０００７】
上記構成によれば、端部が被接続部材と接続して、夫々に電気が流れる複数本の電極部材が、ベース部材の一方の面に設けられ、ベース部材に並べられている。さらに、被覆部材が、被接続部材と接続される電極部材の端部を露出させるように、電極部材を被覆している。
【０００８】
そして、電極部材に備えられた信号電極には、被接続部材と接続されて信号電流が流れ、電極部材に備えられた検出電極は、被接続部材に対して接続が解除されそうになると、信号電極の導通が解除される前に導通が解除される。
【０００９】
このように、信号電極の導通が解除される前に、検出電極の導通が解除される。そこで、検出電極の導通の解除を検知することで、平面ケーブルが電気的に接続された被接続部材から脱落するのを簡易な構成で予知することができる。
【００１０】
本発明の請求項２に係る平面ケーブルは、請求項１に記載において、前記検出電極の長さは、前記信号電極の長さよりも短いことを特徴とする。
【００１１】
上記構成によれば、検出電極の長さは、信号電極の長さよりも短くされている。これにより、平面ケーブルが被接続部材から脱落しそうになると、信号電極の導通が解除される前に、検出電極の導通を解除することができる。
【００１２】
本発明の請求項３に係る平面ケーブルは、請求項１に記載において、前記検出電極の太さは、前記信号電極の太さよりも細いことを特徴とする。
【００１３】
上記構成によれば、検出電極の太さは、信号電極の太さよりも細くされている。これにより、例えば、平面ケーブルが被接続部材に対して横方向（平面ケーブルを被接続部材に接続する際の接続方向に対して直交する方向）にずれながら脱落しそうになると、信号電極の導通が解除される前に、検出電極の導通を解除することができる。
【００１４】
本発明の請求項４に係る平面ケーブルは、請求項１〜３の何れか１項に記載において、前記検出電極は、複数本の前記電極部材の少なくとも一方の、最も外側に配置されることを特徴とする。
【００１５】
上記構成によれば、検出電極は、複数本の電極部材の少なくとも一方の外側に配置される。例えば、平面ケーブルが被接続部材に対して回転移動しながら脱落しそうになると、信号電極の導通が解除される前に、効果的に検出電極の導通を解除することができる。
【００１６】
本発明の請求項５に係る電子回路基板は、請求項１〜４の何れか１項に記載された平面ケーブルと、前記平面ケーブルの端部に導通可能に接続される被接続部材と、前記被接続部材を通して前記平面ケーブルに備えられた信号電極に信号電流を流し、前記平面ケーブルに備えられた検出電極に前記平面ケーブルの脱落を予知する予知電流を流す電子回路と、を備えることを特徴とする。
【００１７】
上記構成によれば、被接続部材が平面ケーブルの端部に導通可能に接続される。そして、電子回路が、被接続部材を通して平面ケーブルに備えられた信号電極に信号電流を流し、検出電極に平面ケーブルの脱落を予知する予知電流を流す。
【００１８】
これにより、検出電極の導通の解除を検知することで、平面ケーブルが電気的に接続された被接続部材から脱落するのを予知することができる。
【００１９】
本発明の請求項６に係る放射線撮影装置は、請求項５に記載の電子回路基板を備えたことを特徴とする。
【００２０】
上記構成によれば、放射線撮影装置は、請求項５に記載の電子回路基板を備えている。例えば、放射線撮影装置を搬送する場合に、放射線撮影装置が揺れて、平面ケーブルが被接続部材から脱落しそうになると、検出電極の導通の解除を検知することで、平面ケーブルの脱落を予知することができる。
【発明の効果】
【００２１】
本発明によれば、平面ケーブルが電気的に接続された被接続部材から脱落するのを簡易な構成で予知することができる。
【図面の簡単な説明】
【００２２】
【図１】本発明の第１実施形態に係る接続配線を示した斜視図である。
【図２】本発明の第１実施形態に係る接続配線とコネクタを示した斜視図である。
【図３】本発明の第１実施形態に係る接続配線とコネクタを示した分解斜視図である。
【図４】本発明の第１実施形態に係る接続配線とコネクタを示した斜視図である。
【図５】本発明の第１実施形態に係る接続配線とコネクタを示した斜視図である。
【図６】本発明の第１実施形態に係る接続配線とコネクタを示した平面図である。
【図７】本発明の第１実施形態に係る接続配線とコネクタを示した平面図である。
【図８】本発明の第１実施形態に係る接続配線とコネクタを示した平面図である。
【図９】本発明の第１実施形態に係る接続配線とコネクタを示した平面図である。
【図１０】本発明の第１実施形態に係る回路基板及び可搬型放射線撮影装置を示した平面図である。
【図１１】本発明の第１実施形態に係る回路基板及び可搬型放射線撮影装置を示した底面図である。
【図１２】本発明の第１実施形態に係る可搬型放射線撮影装置を示した断面図である。
【図１３】本発明の第１実施形態に係る可搬型放射線撮影装置を示した回路図である。
【図１４】本発明の第２実施形態に係る接続配線を示した斜視図である。
【図１５】本発明の第２実施形態に係る接続配線とコネクタを示した平面図である。
【図１６】本発明の第２実施形態に係る接続配線とコネクタを示した平面図である。
【発明を実施するための形態】
【００２３】
本発明の第１実施形態に係る平面ケーブル、電子回路基板、及び可搬型放射線撮影装置の一例について図１〜図１３に従って説明する。
【００２４】
（全体構成）
先ず、可搬型放射線撮影装置１０（所謂電子カセッテ）に用いられる放射線撮像素子１２について説明する。
【００２５】
図１３に示されるように、可搬型放射線撮影装置１０の筐体１８の内部に設けられた放射線撮像素子１２は、上部電極と半導体層と下部電極を備え、光を受けて電荷を蓄積するセンサ部１４と、センサ部１４に蓄積された電荷を読み出すためのＴＦＴスイッチ１６と、を含んで構成される画素２０が２次元状に多数設けられている。
【００２６】
また、放射線撮像素子１２には、前述したＴＦＴスイッチ１６をＯＮ／ＯＦＦするための複数の走査配線２２と、センサ部１４に蓄積された電荷を読み出すための複数の信号配線２４と、が互いに交差して設けられている。
【００２７】
本実施形態に係る放射線撮像素子１２は、表面にＧＯＳ等からなるシンチレータ３０（図１０及び図１２参照）が貼り付けられている。シンチレータ３０は、発生した光の外部への漏れだしを防止するため、貼り付けられた放射線撮像素子１２に対する反対側の面に発生した光を遮光する反射層３０Ａ（図１２参照）を有している。なお、反射層３０Ａは、シンチレータ３０を支持する発光部支持体を兼ねてもよい。反射層３０Ａがシンチレータ３０を支持する発光部支持体を兼ねることにより、シンチレータ３０を支持する部材を別途設ける必要がなくなる。
【００２８】
放射線撮像素子１２では、照射されたＸ線などの放射線はシンチレータ３０で光に変換され、センサ部１４に照射される。センサ部１４は、シンチレータ３０から照射された光を受けて電荷を蓄積するようになっている。
【００２９】
そして、各信号配線２４には、信号配線２４に接続された何れかのＴＦＴスイッチ１６がＯＮされることによりセンサ部１４に蓄積された電荷量に応じて放射線画像を示す電気信号（画像信号）が流れるようになっている。
【００３０】
また、放射線撮像素子１２の信号配線方向の一端側には、結線用の被接続部材の一例としてのコネクタ３２が複数個並んで設けられ、走査配線方向の一端側には、被接続部材の一例としてのコネクタ３４が複数個並んで設けられている。そして、各信号配線２４はコネクタ３２に接続され、各走査配線２２はコネクタ３４に接続されている。
【００３１】
本実施の形態では、放射線撮像素子１２による放射線検出の制御、及び各信号配線２４に流れる電気信号に対する信号処理の制御を行う制御部３６が設けられ、制御部３６は、電気回路の一例としての信号検出回路４２と、電気回路の一例としてのスキャン信号制御回路４０と、を備えている。
【００３２】
また、信号検出回路４２には、複数個の被接続部材の一例としてのコネクタ４６が設けられており、このコネクタ４６には、平面ケーブルの一例としての接続配線４４（例えばフレキシブルケーブル）の一端が電気的に接続されている。さらに、この接続配線４４の他端は、コネクタ３２に接続されており、信号検出回路４２は信号配線２４毎に、入力される電気信号を増幅する増幅回路を内蔵している。この構成により、信号検出回路４２は、各信号配線２４より入力される電気信号を増幅回路により増幅して検出することで、画像を構成する各画素２０の情報として、各センサ部１４に蓄積された電荷量を検出するようになっている。なお、信号検出回路４２と接続配線４４とコネクタ４６とを含んで、電子回路基板の一例としての信号検出回路基板５０が構成されている。
【００３３】
一方、スキャン信号制御回路４０には、複数個の被接続部材の一例としてのコネクタ４８が設けられており、このコネクタ４８には、平面ケーブルの一例としての接続配線５２の一端が電気的に接続されている。さらに、この接続配線５２の他端は、コネクタ３４に接続されており、スキャン信号制御回路４０は各走査配線２２にＴＦＴスイッチ１６をＯＮ／ＯＦＦするための制御信号を出力するようになっている。なお、スキャン信号制御回路４０と接続配線５２とコネクタ４８とを含んで、電子回路基板の一例としてのスキャン信号制御回路基板５４が構成されている。
【００３４】
次に、第１実施の形態に係る可搬型放射線撮影装置１０について説明する。
【００３５】
図１２に示されるように、本実施の形態に係る可搬型放射線撮影装置１０は、照射された放射線により表わされる放射線画像を撮影する撮影部６０を有している。この撮影部６０は、平板状に形成された支持基板６２の一方の面に放射線撮像素子１２が配置され（図１０参照）、支持基板６２の他方の面に放射線撮像素子１２に対応する信号検出回路４２及びスキャン信号制御回路４０が配置されている。
【００３６】
次に、本実施形態に係る可搬型放射線撮影装置１０の動作原理について説明する。
【００３７】
図１２に示されるように、可搬型放射線撮影装置１０では、たとえばＸ線画像の撮影をする場合、放射線撮像素子１２に被写体を透過したＸ線が撮影部６０に照射される。
【００３８】
放射線撮像素子１２では、照射されたＸ線はシンチレータ３０で光に変換され、センサ部１４（図１３参照）に照射されることで各センサ部１４に電荷が発生する。
【００３９】
放射線撮像素子１２では、照射されたＸ線などの放射線はシンチレータ３０で光に変換され、センサ部１４に照射される。センサ部１４は、シンチレータ３０から照射された光を受けて電荷を蓄積するようになっている。
【００４０】
図１３に示されるように、画像読出時には、スキャン信号制御回路４０から放射線撮像素子１２のＴＦＴスイッチ１６のゲート電極に走査配線２２を介して順次ＯＮ信号（＋１０〜２０Ｖ）が印加される。これにより、放射線撮像素子１２のＴＦＴスイッチ１６が順次ＯＮされることによりセンサ部１４に蓄積された電荷量に応じた電気信号が信号配線２４に流れ出す。信号検出回路４２は、放射線撮像素子１２の信号配線２４に流れ出した電気信号に基づいて各センサ部１４に蓄積された電荷量を、画像を構成する各画素２０の情報として検出する。これにより、放射線撮像素子１２に照射された放射線により示される画像を示す画像情報を得る。
【００４１】
（要部構成）
次ぎに、接続配線４４と接続配線４４の端部が接続されるコネクタ４６及びコネクタ３２等について説明する。なお、接続配線５２とコネクタ４８及びコネクタとの接続も同様の構成となっている。
【００４２】
図１に示されるように、接続配線４４は、長尺板状のベース部材６６を備えている。さらに、このベース部材の一方の面６６Ａには、ベース部材６６の長手方向（図１に示す矢印Ｂ方向）に対して直交する方向に並べられると共に、長手方向端側がコネクタ４６に設けられた接点６８（図３参照）と電気的に接続して、夫々に電流が流れる複数本の電極部材７０が設けられている。また、コネクタ４６の接点６８と接続される電極部材７０の端部を露出させるように、電極部材７０を被覆する絶縁性の被覆部材７２が、接続配線４４に設けられている。
【００４３】
複数本の電極部材７０の中で最も外側に配置された検出電極７０Ａは、検出電極７０Ａに挟まれるように配置され、信号電流（可搬型放射線撮影装置１０を作動させる電流）が流れる信号電極７０Ｂに対して短くなっている。
【００４４】
また、図２に示されるように、接続配線４４の一端と接続されるコネクタ４６は、接続配線４４の端部を支持する支持部７６と、接続配線４４の端部を支持部７６に押し付ける押圧部７８を備えている。
【００４５】
詳細には、図３に示されるように、押圧部７８は、支持部７６の一辺に設けられた軸部８０に回転可能に軸支されており、この軸部８０には、押圧部７８を支持部７６に向けて付勢する付勢ばね（図示省略）が設けられている。
【００４６】
さらに、支持部７６には、線状に所定距離を空けて並べられた複数個の接点６８が設けられている。そして、図４、図５に示されるように、押圧部７８によって押圧された接続配線４４の電極部材７０がこの接点６８と電気的に接続されるようになっている。
【００４７】
一方、信号検出回路４２（図１３参照）は、コネクタ４６を通して接続配線４４に備えられた信号電極７０Ｂ（図１参照）に信号電流を流し、検出電極７０Ａに接続配線４４のコネクタ４６からの脱落を予知する予知電流（可搬型放射線撮影装置１０を作動させるのとは無関係の電流）を流すようになっている。
【００４８】
（作用・効果）
図６に示されるように、接続配線４４がコネクタ４６に接続された状態では、接続配線４４に備えられた信号電極７０Ｂ及び検出電極７０Ａは、押圧部７８に押圧されて接点６８と電気的に接続されている。つまり、この状態で、信号電極７０Ｂには、信号電流が流れ、検出電極７０Ａには、予知電流が流れる。
【００４９】
可搬型放射線撮影装置１０（図１２参照）を持ち運ぶ等で、振動が接続配線４４に伝達されることがある。図７、図８に示されるように、接続配線４４に振動が伝達されると、接続配線４４を構成する面に対して直交方向から見て、接続配線４４が一方又は他方に回転することがある。このように、回転してしまったときには、検出電極７０Ａが信号電極７０Ｂより外側に配置され、信号電極７０Ｂより短く設定されているため、片方の外側に配置された検出電極７０Ａの導通が、信号電極７０Ｂの導通が解除される前に解除される。
【００５０】
また、図９に示されるように、振動が伝達された接続配線４４が、コネクタ４６から引き抜かれる方向に移動すると、両方の外側に配置された検出電極７０Ａの導通が、信号電極７０Ｂの導通が解除される前に解除される。
【００５１】
そして、別途設けられた検知部材（図示省略）によって検出電極７０Ａの導通解除を検知することで、コネクタ４６から接続配線４４が脱落して信号電極７０Ｂの導通が解除される前に、接続配線４４のコネクタ４６からの脱落が予知される。
【００５２】
以上説明したように、検出電極７０Ａを信号電極７０Ｂよりも短かくすることで、接続配線４４が電気的に接続されたコネクタ４６から脱落するのを簡易な構成で予知することができる。
【００５３】
また、信号電極７０Ｂの導通が解除される前に、接続配線４４のコネクタ４６からの脱落が予知されるため、可搬型放射線撮影装置１０の作動に支障をきたすのを抑制することができる。
【００５４】
また、検出電極７０Ａを信号電極７０Ｂより外側に設けることで、接続配線４４が回転したときに、効果的に、検出電極７０Ａの導通を、信号電極７０Ｂの導通が解除される前に解除することができる。
【００５５】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、信号配線７０Ｂに対して両方の外側に検出電極７０Ａを設けたが、例えば、接続配線４４が一方には回転せず、他方にのみ回転するように規制されている場合には、信号配線７０Ｂに対して一方の外側だけに検出電極７０Ａを設けてもよい。
【００５６】
なお、本発明を特定の実施形態について詳細に説明したが、本発明はかかる実施形態に限定されるものではなく、本発明の範囲内にて他の種々の実施形態が可能であることは当業者にとって明らかである。例えば、上記実施形態では、間接型の可搬型放射線撮影装置１０（人体を透過した放射線を一旦蛍光体に入射させて可視光に変換し、この可視光を電気信号に変換して外部に取り出す方式）を一例にとって接続配線４４等を説明したが、特にこれに限定されることなく、直接型の可搬型放射線撮影装置（人体を透過した放射線を電気信号に直接変換して外部に取り出す方式）に本実施形態の接続配線等を用いてもよい。
【００５７】
次ぎに、本発明の第２実施形態に係る平面ケーブル、電子回路基板及び可搬型放射線撮影装置の一例について図１４〜図１６に従って説明する。なお、第１実施形態と同一部材については、同一符号を付してその説明を省略する。
【００５８】
図１４に示されるように、本第２実施形態に係る接続配線９２に設けられた検出電極９０は、信号電極７０Ｂに比べて、短くなっておらず、それに替えて細くなっている。
【００５９】
図１５、図１６に示されるように、接続配線４４に振動が伝達されると、接続配線４４を構成する面に対して直交方向から見て、接続配線４４が一方又は他方に回転することがある。このように、回転してしまったときには、検出電極９０が信号電極７０Ｂより外側に配置され、信号電極７０Ｂより細く設定されているため、片方の外側に配置された検出電極９０の導通が、信号電極７０Ｂの導通が解除される前に解除される。
【００６０】
これにより、接続配線４４がコネクタ４６から脱落するのを簡易な構成で予知することができる。
なお、上記第１実施形態、第２実施形態では可搬型放射線撮影装置に用いて説明したが、本発明はこれに限定されることなく、据置型等の放射線撮影装置であってもよい。
【符号の説明】
【００６１】
１０        可搬型放射線撮影装置
３２        コネクタ（被接続部材）
３４        コネクタ（被接続部材）
４０        スキャン信号制御回路（電気回路）
４２        信号検出回路（電気回路）
４４        接続配線（平面ケーブル）
４６        コネクタ（被接続部材）
４８        コネクタ（被接続部材）
５０        信号検出回路基板
５２        接続配線（平面ケーブル）
５４        スキャン信号制御回路基板
６６        ベース部材
７０        電極部材
７０Ａ      検出電極
７０Ｂ      信号電極
【図１】
2011216254.tif 000003
【図２】
2011216254.tif 000004
【図３】
2011216254.tif 000005
【図４】
2011216254.tif 000006
【図５】
2011216254.tif 000007
【図６】
2011216254.tif 000008
【図７】
2011216254.tif 000009
【図８】
2011216254.tif 000010
【図９】
2011216254.tif 000011
【図１０】
2011216254.tif 000012
【図１１】
2011216254.tif 000013
【図１２】
2011216254.tif 000014
【図１３】
2011216254.tif 000015
【図１４】
2011216254.tif 000016
【図１５】
2011216254.tif 000017
【図１６】
2011216254.tif 000018